(57)【特許請求の範囲】
【請求項１】
可搬型記録媒体にデータを記録する媒体ドライブ装置と、コンピュータとを相互に通信可能に接続してなるシステムであって、
前記コンピュータは、
オペレーティングシステムと、当該オペレーティングシステム上で動作するアプリケーションプログラムと、当該オペレーティングシステム上で動作し前記媒体ドライブ装置を制御するデバイスドライバとを備え、
前記デバイスドライバは、
前記アプリケーションプログラムから文書の印刷命令を受け取る機能と、
前記印刷命令の対象となった文書に含まれるデータの種類を識別する機能と、前記印刷命令の対象となった文書に含まれるデータと各データの種類に応じた再生用プログラムとを、前記可搬型記録媒体に記録可能なフォーマットに変換する機能と、
前記フォーマットに変換したデータを、前記可搬型記録媒体に記録するデータとして前記媒体ドライブ装置に送信する機能とを有することを特徴とする可搬型記録媒体へのデータ記録システム。
【請求項２】
可搬型記録媒体にデータを記録する媒体ドライブ装置と、コンピュータとを相互に通信可能に接続してなるシステムにおいて、前記コンピュータが前記媒体ドライブ装置を制御して前記可搬型記録媒体にデータを記録するデータ記録方法であって、
前記媒体ドライブ装置を制御するためのデバイスドライバをプリンタドライバとして前記コンピュータのオペレーティングシステムに認識させるステップと、前記デバイスドライバが前記オペレーティングシステム上で動作するアプリケーションプログラムから文書の印刷命令を受け取るステップと、
前記デバイスドライバが前記印刷命令の対象となった文書に含まれるデータの種類を識別するステップと、
前記デバイスドライバが前記印刷命令の対象となった文書に含まれるデータと各データの種類に応じた再生用プログラムとを、前記可搬型記録媒体に記録可能なフォーマットに変換するステップと、
前記フォーマットに変換したデータを、前記可搬型記録媒体に記録するデータとして前記媒体ドライブ装置に送信するステップとを有することを特徴とする可搬型記録媒体へのデータ記録方法。
【請求項３】
可搬型記録媒体にデータを記録する媒体ドライブ装置と、コンピュータとを相互に通信可能に接続してなるシステムにおいて、前記コンピュータが前記媒体ドライブ装置を制御して前記可搬型記録媒体にデータを記録するためのプログラムを記録した記録媒体であって、
前記媒体ドライブ装置を制御するためのデバイスドライバをプリンタドライバとして前記コンピュータのオペレーティングシステムに認識させるステップと、前記デバイスドライバが前記オペレーティングシステム上で動作するアプリケーションプログラムから文書の印刷命令を受け取るステップと、
前記デバイスドライバが前記印刷命令の対象となった文書に含まれるデータの種類を識別するステップと、
前記デバイスドライバが前記印刷命令の対象となった文書に含まれるデータと各データの種類に応じた再生用プログラムとを、前記可搬型記録媒体に記録可能なフォーマットに変換するステップと、
前記フォーマットに変換したデータを、前記可搬型記録媒体に記録するデータとして前記媒体ドライブ装置に送信するステップとを、前記コンピュータにより実行するためのプログラムを記録したことを特徴とする機械読み取り可能な記録媒体。
【発明の詳細な説明】
【０００１】
【発明の属する技術分野】
本願発明は、光磁気ディスク、ＣＤ−Ｒ／ＲＷ、ＤＶＤ−Ｒ／ＲＡＭ／ＲＷ、ＤＶＤ＋ＲＷ等の機械読み取り可能な可搬型記録媒体（以下、電子媒体と記す。）への情報記録技術および当該電子媒体からの情報再生技術に関する。
【０００２】
【従来の技術】
近年、環境資源保護のために省紙化が進められていること、またコンピュータ上で動作するアプリケーションが扱う文書に、文字情報だけではなく、音、静止画、動画の情報までもが含まれるようになったことなどにより、情報を紙媒体に記録（印刷）する代わりに、電子媒体に様々な種類の情報（データ）が記録（保存）されるようになってきた。
しかし、紙媒体は記録されている内容をどこでも読むことができるという完全な可搬性があるのに対し、電子媒体では文書に応じたアプリケーションプログラムが存在しているシステム環境でしか、データを再生できないため、電子媒体が紙媒体の代わりになりきれないでいるのが現状である。たとえば、特定のワープロソフト独自のフォーマットで作成された文書は、当該特定のワープロソフトがインストールされているコンピュータがなければ、文書内容をモニタに表示して読むことも、プリンタで印刷することもできない。
【０００３】
【発明が解決しようとする課題】
本願発明は、上記従来技術の不具合を解消するべく創案されたものであり、文書を作成したアプリケーションが存在しないシステム環境においても当該文書を再生できるように当該文書を電子媒体に記録でき、しかも電子媒体への文書の記録を、文書を印刷するのと同じ操作で行うことができるデータ記録システムおよびデータ記録方法、ならびにこれらを実現するためのプログラムを記録した記録媒体を提供することにある。
【０００４】
【課題を解決するための手段】
上記課題を解決するために、請求項１に記載の発明に係るデータ記録システムは、可搬型記録媒体（光磁気ディスク、ＣＤ−Ｒ／ＲＷ、ＤＶＤ−Ｒ／ＲＡＭ／ＲＷ、ＤＶＤ＋ＲＷ、等。以下同様。）にデータを記録する媒体ドライブ装置と、コンピュータとを相互に通信可能に接続してなるシステムであって、前記コンピュータは、オペレーティングシステムと、当該オペレーティングシステム上で動作するアプリケーションプログラムと、当該オペレーティングシステム上で動作し前記媒体ドライブ装置を制御するデバイスドライバとを備え、前記デバイスドライバは、前記アプリケーションプログラムから文書の印刷命令を受け取る機能と、前記印刷命令の対象となった文書に含まれるデータの種類（文字、音声、静止画、動画、等。圧縮方式の種類も含む。以下同様。）を識別する機能と、前記印刷命令の対象となった文書に含まれるデータと各データの種類に応じた再生用プログラムとを前記可搬型記録媒体に記録可能なフォーマットに変換する機能と、前記フォーマットに変換したデータを前記可搬型記録媒体に記録するデータとして前記媒体ドライブ装置に送信する機能と、を有することを特徴とする。
また、請求項２に記載の発明に係るデータ記録方法は、可搬型記録媒体にデータを記録する媒体ドライブ装置とコンピュータとを相互に通信可能に接続してなるシステムにおいて、前記コンピュータが前記媒体ドライブ装置を制御して前記可搬型記録媒体にデータを記録するデータ記録方法であって、前記媒体ドライブ装置を制御するためのデバイスドライバをプリンタドライバとして前記コンピュータのオペレーティングシステムに認識させるステップと、前記デバイスドライバが前記オペレーティングシステム上で動作するアプリケーションプログラムから文書の印刷命令を受け取るステップと、前記デバイスドライバが前記印刷命令の対象となった文書に含まれるデータの種類を識別するステップと、前記デバイスドライバが前記印刷命令の対象となった文書に含まれるデータと各データの種類に応じた再生用プログラムとを、前記可搬型記録媒体に記録可能なフォーマットに変換するステップと、前記フォーマットに変換したデータを、前記可搬型記録媒体に記録するデータとして前記媒体ドライブ装置に送信するステップとを有することを特徴とする。
【０００５】
また、請求項３に記載の発明に係る記録媒体は、可搬型記録媒体にデータを記録する媒体ドライブ装置と、コンピュータとを相互に通信可能に接続てなるシステムにおいて、前記コンピュータが前記媒体ドライブ装置を制御して前記可搬型記録媒体にデータを記録するためのプログラムを記録した記録媒体であって、前記媒体ドライブ装置を制御するためのデバイスドライバをプリンタドライバとして前記コンピュータのオペレーティングシステムに認識させるステップと、前記デバイスドライバが前記オペレーティングシステム上で動作するアプリケーションプログラムから文書の印刷命令を受け取るステップと、前記デバイスドライバが前記印刷命令の対象となった文書に含まれるデータの種類を識別するステップと、前記デバイスドライバが前記印刷命令の対象となった文書に含まれるデータと各データの種類に応じた再生用プログラムとを前記可搬型記録媒体に記録可能なフォーマットに変換するステップと、前記フォーマットに変換したデータを、前記可搬型記録媒体に記録するデータとして前記媒体ドライブ装置に送信するステップとを、前記コンピュータにより実行するためのプログラムを記録したことを特徴とする。
【０００６】
【発明の実施の形態】
以下、本願発明の実施の形態について説明する。
図１は本願発明に係るデータ記録システムの構成を概念的に図示したブロック図である。このシステムは、パーソナルコンピュータ、ワークステーションなどのホスト装置１０と、電子媒体（ＣＤ−Ｒ、ＣＤ−ＲＷ、等）にデータを記録し再生する記録再生ドライブ装置２０とを相互に通信可能に接続してなる。
ホスト装置１０内では、オペレーティングシステム２が基本ソフトウェアとして動作しており、アプリケーションプログラム（以下、単にアプリケーションと記す。）１はオペレーティングシステム２上で文書を作成し、デバイスドライバ３は記録再生ドライブ装置２０に対するデータの書き込み/読み込みを制御する。
デバイスドライバ３は、プリンタドライバとしてオペレーティングシステム２に認識されている。そして、デバイスドライバ３は、アプリケーション１から文書の印刷命令を受け取る機能と、印刷命令の対象となった文書に含まれるデータの種類を識別する機能と、印刷命令の対象となった文書に含まれるデータと各データの種類に応じた再生用プログラムとを記録再生ドライブ装置２０で使用される電子媒体に記録可能なフォーマットに変換する機能と、当該フォーマットに変換したデータを電子媒体に記録するデータとして記録再生ドライブ装置２０に送信する機能とを有する。
【０００７】
つぎに、この実施の形態のデータ記録システムにおけるホスト装置の動作を図２に示すフローに従って説明する。
たとえばワープロソフトなどのアプリケーション１からオペレーティングシステム２に対して、記録再生ドライブ装置２０を出力先に指定した文書の印刷命令が発行されると（Ｓ１でＹｅｓ）、オペレーティングシステム２は、デバイスドライバ３に対して、文書の印刷命令を発行する（Ｓ２）。
文書の印刷命令を受けたデバイスドライバ３は、まず印刷対象となっている文書のチェックを行い、文書に含まれているデータを、文字、音、静止画、動画等の情報の種類別に区別する（Ｓ３）。そして、文書に含まれているデータと、各データを再生するために必要な再生用プログラムとを、電子媒体に記録可能なフォーマットに変換した後（Ｓ４）、変換したデータを記録命令とともに記録再生ドライブ装置２０に送信する（Ｓ５）。ここでいう再生用プログラムとは、文字、音、静止画、動画等を含んだ文書を、その文書を作成したアプリケーション１に依存することなく再生できるプログラムである。
記録再生ドライブ装置２０は、デバイスドライバ３から前記データと記録命令とを受け取ると、当該データを装置内にセットされた電子媒体に記録する。
なお、アプリケーション１からオペレーティングシステム２に対して、記録再生ドライブ装置２０を出力先に指定した文書の印刷命令が発行されなければ（Ｓ１でＮｏ）、オペレーティングシステム２は別の処理命令（たとえばプリンタを出力先に指定した通常の印刷命令など）かどうか判断し（Ｓ６）、別の処理命令であれば（Ｓ６でＹｅｓ）、当該処理命令に従った処理を実行する（Ｓ７）。
この実施の形態のように、アプリケーション１で作成された文書に含まれているデータを、文字、音、静止画、動画等の情報の種類別に区別し、文書に含まれているデータと各データを再生するために必要な再生用プログラムとを、電子媒体に記録することにより、文書を作成したアプリケーション１が存在しないシステム環境においても、当該電子媒体に記録されている再生用プログラムを使用して当該文書を再生できるようになる。
また、デバイスドライバ３がプリンタドライバとしてオペレーティングシステム２に認識されているので、ユーザは、電子媒体への文書の記録を、その文書を印刷する場合と同じ操作で行うことができる。
【０００８】
【発明の効果】
以上説明したように、本願発明のデータ記録システムおよびデータ記録方法では、オペレーティングシステムからの印刷命令を媒体ドライブ装置を制御するデバイスドライバが受け取り、印刷命令の対象となった文書に含まれているデータと各データを再生するために必要な再生用プログラムとを電子媒体に記録するようにしたので、当該文書を作成したアプリケーションが存在しないシステム環境においても当該文書を再生できるように当該文書を電子媒体に記録でき、しかもユーザは、電子媒体への文書の記録を、その文書を印刷する場合と同じ操作で行うことができる。
また、本願発明の記録媒体に記録されたプログラムをコンピュータに読み取らせ、実行させることにより、文書を作成したアプリケーションが存在しないシステム環境においても当該文書を再生できるように当該文書を電子媒体に記録でき、しかも電子媒体への文書の記録を、その文書を印刷する場合と同じ操作で行うことができるデータ記録システムあるいはデータ記録方法を実現できる。
【図面の簡単な説明】
【図１】本願発明に係るデータ記録システムの構成を概念的に図示したブロック図である。
【図２】図１のデータ記録システムにおけるホスト装置の動作内容を例示するフローチャートである。
【符号の説明】
１：アプリケーションプログラム、２：オペレーティングシステム、３：デバイスドライバ、１０：ホスト装置（コンピュータ）、２０：記録再生ドライブ装置（媒体ドライブ装置）
【図１】
0003969692.tif 000002
【図２】
0003969692.tif 000003